(57)【要約】【課題】  報知対象者が睡眠状態であるか否かに応じた適切な音量レベルで警報音を出力することができる発報装置を提供する。【解決手段】  報知対象者４の生体情報を計測する生体情報計測手段と、生体情報に基づいて、報知対象者４が睡眠状態であるか否かを判別する睡眠状態判別手段と、警報音を出力する警報出力手段と、睡眠状態の判別結果に基づいて、警報音の音量レベルを制御する音量制御手段により構成される。音量制御手段は、報知対象者４が睡眠状態である場合に、覚醒状態である場合よりも警報音の音量レベルを増大させる。【選択図】  図１
2014006595.tif 000002
【特許請求の範囲】
【請求項１】
報知対象者の生体情報を計測する生体情報計測手段と、
上記生体情報に基づいて、上記報知対象者が睡眠状態であるか否かを判別する睡眠状態判別手段と、
警報音を出力する警報出力手段と、
上記睡眠状態の判別結果に基づいて、上記警報音の音量レベルを制御する音量制御手段とを備え、
上記音量制御手段は、上記報知対象者が睡眠状態である場合に、覚醒状態である場合よりも上記警報音の音量レベルを増大させることを特徴とする発報装置。
【請求項２】
上記睡眠状態判別手段は、上記報知対象者が、覚醒状態及び深度の異なる２以上の睡眠状態を含む３以上の睡眠レベルのいずれに該当するのかを判別し、
上記音量制御手段は、上記睡眠レベルの判別結果に基づいて、上記警報音の音量レベルを制御し、睡眠状態の深度が増大するほど、上記警報音の音量レベルを増大させることを特徴とする請求項１に記載の発報装置。
【請求項３】
上記生体情報計測手段は、上記報知対象者の脈拍を上記生体情報として計測することを特徴とする請求項２に記載の発報装置。
【請求項４】
揺れの大きさを示す震度情報を受信する震度情報受信手段を備え、
上記睡眠状態判別手段は、上記震度情報を受信した時点を含む一定期間内に計測された上記生体情報に基づいて、上記睡眠状態を判別し、
上記音量制御手段は、上記震度情報の受信後に上記警報音を出力させる際に、上記震度が増大するほど、上記警報音の音量レベルを増大させることを特徴とする請求項１〜３のいずれかに記載の発報装置。
【請求項５】
無線アクセスポイントを介し、サーバー装置から揺れの大きさを示す震度情報を受信する震度情報受信手段と、
上記震度情報の受信後に、生体情報計測装置から報知対象者の生体情報を取得する生体情報取得手段と、
上記生体情報に基づいて、上記報知対象者が睡眠状態であるか否かを判別する睡眠状態判別手段と、
上記震度情報及び上記睡眠状態の判別結果に基づいて、警報音の音量レベルを指定する音量レベル指定手段と、
上記警報音を出力する報知装置に対し、上記音量レベルを指定した報知要求を送信する報知要求送信手段とを備えたことを特徴とする携帯情報端末。
【発明の詳細な説明】
【技術分野】
【０００１】
本発明は、発報装置及び携帯情報端末に係り、さらに詳しくは、警報音を出力する発報装置の改良に関する。
【背景技術】
【０００２】
特許文献１には、気象庁が発信する緊急地震速報をインターネット経由で受信し、ユーザに対し、音声や表示により警告を行うシステムが記載されている。このシステムによれば、地震が発生したことを速やかにユーザに報知することができる。しかしながら、この様なシステムでは、ユーザが、起きているのか、或いは、眠っているのかに関係なく、地震報知が行われる。
【０００３】
このため、覚醒状態のユーザにとっては、地震が発生したことに気づいているにもかかわらず、警報音が鳴り響き、耳障りである一方、睡眠状態のユーザにとっては、警報音に気づかない場合があるという問題があった。
【０００４】
また、上述した様な従来の報知システムでは、揺れの大きさに関係なく、地震報知が行われる。このため、震度が小さくて緊急性が低いにもかかわらず地震報知が行われ、警報の解除作業が煩わしいという問題もあった。
【先行技術文献】
【特許文献】
【０００５】
【特許文献１】特開２００７−２４１５０３号公報
【発明の概要】
【発明が解決しようとする課題】
【０００６】
本発明は、上記事情に鑑みてなされたものであり、報知対象者が睡眠状態であるか否かに応じた適切な音量レベルで警報音を出力することができる発報装置を提供することを目的とする。特に、報知対象者の眠りの深さに応じた適切な音量レベルで警報音を出力することができる発報装置を提供することを目的とする。
【０００７】
また、本発明は、地震発生時に、報知対象者が睡眠状態であるか否かと揺れの大きさとに応じた適切な音量レベルで警報音を出力することができる発報装置を提供することを目的とする。
【０００８】
また、本発明は、震度情報を受信した際に、報知対象者が睡眠状態であるか否かと揺れの大きさとに応じた適切な音量レベルを指定して警報音の出力を報知装置に指示することができる携帯情報端末を提供することを目的とする。
【課題を解決するための手段】
【０００９】
第１の本発明による発報装置は、報知対象者の生体情報を計測する生体情報計測手段と、上記生体情報に基づいて、上記報知対象者が睡眠状態であるか否かを判別する睡眠状態判別手段と、警報音を出力する警報出力手段と、上記睡眠状態の判別結果に基づいて、上記警報音の音量レベルを制御する音量制御手段とを備え、上記音量制御手段が、上記報知対象者が睡眠状態である場合に、覚醒状態である場合よりも上記警報音の音量レベルを増大させるように構成される。
【００１０】
この発報装置では、生体情報に基づいて報知対象者の睡眠状態を判別し、その判別結果に基づいて警報音の音量レベルが制御される。その際、報知対象者が睡眠状態である場合には、覚醒状態である場合よりも警報音の音量レベルを増大させる。このため、報知対象者が睡眠状態であるか否かに応じた適切な音量レベルで警報音を出力することができる。
【００１１】
第２の本発明による発報装置は、上記構成に加え、上記睡眠状態判別手段が、上記報知対象者が、覚醒状態及び深度の異なる２以上の睡眠状態を含む３以上の睡眠レベルのいずれに該当するのかを判別し、上記音量制御手段が、上記睡眠レベルの判別結果に基づいて、上記警報音の音量レベルを制御し、睡眠状態の深度が増大するほど、上記警報音の音量レベルを増大させるように構成される。
【００１２】
この様な構成によれば、報知対象者が３以上の睡眠レベルのいずれに該当するのかを判別して警報音の音量レベルを制御するので、報知対象者の眠りの深さに応じた適切な音量レベルで警報音を出力することができる。
【００１３】
第３の本発明による発報装置は、上記構成に加え、上記生体情報計測手段が、上記報知対象者の脈拍を上記生体情報として計測するように構成される。報知対象者の脈拍は、眠りの深さが深いほど少なく、眠りが浅ければ脈拍は多くなる。つまり、その様な脈拍を生体情報として計測することにより、報知対象者が３以上の睡眠レベルのいずれに該当するのかを正確に判別することができる。
【００１４】
第４の本発明による発報装置は、上記構成に加え、揺れの大きさを示す震度情報を受信する震度情報受信手段を備え、上記睡眠状態判別手段が、上記震度情報を受信した時点を含む一定期間内に計測された上記生体情報に基づいて、上記睡眠状態を判別し、上記音量制御手段が、上記震度情報の受信後に上記警報音を出力させる際に、上記震度が増大するほど、上記警報音の音量レベルを増大させるように構成される。
【００１５】
この発報装置では、震度情報の受信後に警報音を出力させる際に、震度が増大するほど警報音の音量レベルを増大させる。このため、地震発生時に、報知対象者が睡眠状態であるか否かと揺れの大きさとに応じた適切な音量レベルで警報音を出力することができる。
【００１６】
第５の本発明による携帯情報端末は、無線アクセスポイントを介し、サーバー装置から揺れの大きさを示す震度情報を受信する震度情報受信手段と、上記震度情報の受信後に、生体情報計測装置から報知対象者の生体情報を取得する生体情報取得手段と、上記生体情報に基づいて、上記報知対象者が睡眠状態であるか否かを判別する睡眠状態判別手段と、上記震度情報及び上記睡眠状態の判別結果に基づいて、警報音の音量レベルを指定する音量レベル指定手段と、上記警報音を出力する報知装置に対し、上記音量レベルを指定した報知要求を送信する報知要求送信手段とを備えて構成される。
【００１７】
この携帯情報端末では、震度情報の受信後に取得した生体情報に基づいて報知対象者の睡眠状態を判別し、その判別結果と震度情報とに基づいて警報音の音量レベルが指定される。このため、震度情報を受信した際に、報知対象者が睡眠状態であるか否かと揺れの大きさとに応じた適切な音量レベルを指定して警報音の出力を報知装置に指示することができる。
【発明の効果】
【００１８】
本発明による発報装置では、報知対象者が睡眠状態である場合に、覚醒状態である場合よりも警報音の音量レベルを増大させるので、報知対象者が睡眠状態であるか否かに応じた適切な音量レベルで警報音を出力することができる。特に、報知対象者の眠りの深さに応じた適切な音量レベルで警報音を出力することができる。
【００１９】
また、本発明によれば、震度情報の受信後に警報音を出力させる際に、震度が増大するほど警報音の音量レベルを増大させるので、地震発生時に、報知対象者が睡眠状態であるか否かと揺れの大きさとに応じた適切な音量レベルで警報音を出力することができる。
【００２０】
また、本発明による携帯情報端末では、震度情報を受信した際に、報知対象者が睡眠状態であるか否かと揺れの大きさとに応じた適切な音量レベルを指定して警報音の出力を報知装置に指示することができる。
【図面の簡単な説明】
【００２１】
【図１】本発明の実施の形態による発報装置１を含む地震報知システム１００の一構成例を示したシステム図である。
【図２】図１の生体情報計測装置２０の一構成例を示したブロック図である。
【図３】図１の報知装置３０の一構成例を示したブロック図である。
【図４】図１の携帯情報端末１０の一構成例を示したブロック図である。
【図５】携帯情報端末１０、生体情報計測装置２０及び報知装置３０の使用態様の一例を模式的に示した説明図であり、報知対象者４の自宅５内の様子が示されている。
【図６】図１の地震報知システム１００における地震発生時の動作の一例を示したシーケンス図である。
【図７】図１の携帯情報端末１０において使用される音量レベル判定用のテーブルの一例を示した図である。
【図８】図１の携帯情報端末１０における震度情報受信時の動作の一例を示したフローチャートである。
【発明を実施するための形態】
【００２２】
＜地震報知システム１００＞
図１は、本発明の実施の形態による発報装置１を含む地震報知システム１００の一構成例を示したシステム図である。この地震報知システム１００は、発報装置１、通信ネットワーク２、無線ＡＰ（アクセスポイント）３及びサーバー装置４０により構成され、地震が発生した直後に生成される震度情報がサーバー装置４０から発報装置１へ送信され、警報音が出力される。
【００２３】
震度情報は、揺れの大きさを示す情報であり、震度階級を表すデータからなる。例えば、震度情報は、各地に設置された地震計による観測データに基づいて地震発生を検知し、震源に近い地震計により観測された地震波のデータを解析して、震源の位置や地震の規模を推定し、その推定結果に基づいて各地の震度階級を判定することにより作成される。
【００２４】
サーバー装置４０は、この様な震度情報を震度情報記憶部４１内に保持する端末装置であり、通信ネットワーク２に接続されている。このサーバー装置４０は、新たな震度情報が震度情報記憶部４１内に格納されるごとに、通信ネットワーク２を介して、当該震度情報を発報装置１へ送信する。
【００２５】
通信ネットワーク２は、インターネット、ローカルエリアネットワーク、移動体回線網などにより構成される。震度情報は、通信ネットワーク２上の無線ＡＰ３を経由して、発報装置１へ送信される。無線ＡＰ３は、無線通信のための中継装置である。
【００２６】
発報装置１は、携帯情報端末１０、生体情報計測装置２０及び報知装置３０により構成され、無線ＡＰ３を介してサーバー装置４０から受信した震度情報に基づいて、警報音を出力する。
【００２７】
携帯情報端末１０は、無線ＡＰ３と通信し、サーバー装置４０からの震度情報を受信するクライアント端末である。例えば、携帯情報端末１０には、現在位置に応じた震度情報が、緊急地震速報として電子メールにより通知される。例えば、携帯情報端末１０は、無線ＡＰ３としての基地局と通信し、移動体回線網を介して他の通信端末との間で通話を行う携帯電話機である。
【００２８】
生体情報計測装置２０は、報知対象者の生体情報を計測し、その計測結果を携帯情報端末１０へ送信する生体情報計測手段である。この生体情報計測装置２０では、報知対象者から、脈拍などのバイタルサインが生体情報として計測される。
【００２９】
報知装置３０は、警報音を出力する警報出力装置であり、報知対象者に対し、地震が発生したことを警報音の出力により報知する。携帯情報端末１０は、生体情報計測装置２０及び報知装置３０と無線通信を行い、生体情報計測装置２０から報知対象者の生体情報を取得して報知対象者の睡眠状態を判別する一方、警報音の音量レベルを指定した報知要求を生成して報知装置３０へ送信する。
【００３０】
睡眠状態は、意識水準が一次的に低下した身体状態であり、自発的に覚醒可能な状態である。睡眠状態であるのか、或いは、覚醒状態であるのかは、脈拍などの状態により識別することができる。
【００３１】
携帯情報端末１０では、サーバー装置４０から震度情報を受信した直後に、生体情報の送信要求が生体情報計測装置２０へ送信される。生体情報計測装置２０は、携帯情報端末１０からの送信要求に基づいて、当該送信要求を受信した時点を含む一定期間内に計測した生体情報を要求元の携帯情報端末１０へ送信する。つまり、携帯情報端末１０では、震度情報を受信した時点を含む一定期間内に計測された生体情報を取得することができる。
【００３２】
また、携帯情報端末１０では、生体情報計測装置２０から取得した生体情報に基づいて、報知対象者が睡眠状態であるか否かが判別される。そして、睡眠状態の判別結果と、サーバー装置４０から受信した震度情報とに基づいて、警報音の音量レベルを指定した報知要求が生成される。
【００３３】
報知装置３０は、携帯情報端末１０からの報知要求に基づいて警報音を出力する際に、指定された音量レベルで警報音の出力を行う。つまり、報知装置３０では、報知対象者の眠りの深さや揺れの大きさに応じて、警報音の音量レベルを異ならせることができる。
【００３４】
＜生体情報計測装置２０＞
図２は、図１の生体情報計測装置２０の一構成例を示したブロック図である。この生体情報計測装置２０は、脈拍センサ２１、体動センサ２２、温度センサ２３、電位センサ２４、生体情報生成部２５及び近距離無線通信部２６により構成される。例えば、生体情報計測装置２０は、報知対象者の手首に装着されるリストバンド型の電子機器である。
【００３５】
脈拍センサ２１は、報知対象者の脈拍を検出し、その検出結果を生体情報生成部２５へ出力する。脈拍は、心臓が血液を動脈に送り出す際に生じる拍動であり、一定時間内における拍動の回数が生体情報として検知される。
【００３６】
体動センサ２２は、報知対象者の体動を検出し、その検出結果を生体情報生成部２５へ出力する。体動は、寝返りなどの身体の動きであり、一定時間内における体動の回数が生体情報として検知される。温度センサ２３は、報知対象者の皮膚温度を検出し、その検出結果を生体情報生成部２５へ出力する。電位センサ２４は、報知対象者の皮膚電位を検出し、その検出結果を生体情報生成部２５へ出力する。
【００３７】
生体情報生成部２５は、脈拍センサ２１、体動センサ２２、温度センサ２３及び電位センサ２４の出力に基づいて、生体情報を生成する。例えば、生体情報は、一定時間Ｔ１ごとに生成される。近距離無線通信部２６は、微弱電波を用いて、携帯情報端末１０との間で無線通信を行う。例えば、近距離無線通信部２６では、ブルートゥース（Bluetooth、登録商標）といった通信規格の通信方式により、無線通信が行われる。
【００３８】
生体情報生成部２５は、携帯情報端末１０からの送信要求に基づいて、近距離無線通信部２６を介し、生体情報を要求元の携帯情報端末１０へ送信する。すなわち、送信要求を受信した時点を含む一定期間内に計測された生体情報が、当該送信要求の発信元の携帯情報端末１０へ送信される。例えば、送信要求を受信する直前に計測され、或いは、送信要求を受信した直後に計測された生体情報が、携帯情報端末１０へ送信される。
【００３９】
＜報知装置３０＞
図３は、図１の報知装置３０の一構成例を示したブロック図である。この報知装置３０は、近距離無線通信部３１、報知制御部３２、スピーカ３３、ＬＥＤ３４及びＬＣＤ３５により構成され、報知対象者に対し、地震が発生したことを警報音の出力、ＬＥＤ３４の点灯及びＬＣＤ３５の表示により報知する。例えば、報知対象者の自宅内に設置された照明装置、ＴＶ（テレビジョン）受像装置、オーディオ装置などが報知装置３０として用いられる。
【００４０】
近距離無線通信部３１は、微弱電波を用いて、携帯情報端末１０との間で無線通信を行う。例えば、近距離無線通信部３１では、ブルートゥースといった通信規格の通信方式により、無線通信が行われる。報知制御部３２は、携帯情報端末１０からの報知要求に基づいて、スピーカ３３、ＬＥＤ３４及びＬＣＤ３５を駆動する。
【００４１】
スピーカ３３は、報知制御部３２により指定された音量レベルで警報音を出力する警報出力手段である。警報音には、ブザー音、チャイム音といった可聴周波数帯域の信号からなる電子音、或いは、地震が発生したことを示す音声メッセージが用いられる。
【００４２】
ＬＥＤ（発光ダイオード）３４は、報知制御部３２により指定された光量レベルで照明光を照射する照明装置である。ＬＣＤ（液晶ディスプレイ）３５は、報知制御部３２により指定された輝度レベルで映像を表示する表示装置である。照明光の光量レベルや映像表示の輝度レベルは、警報音の音量レベルに応じて決定される。
【００４３】
＜携帯情報端末１０＞
図４は、図１の携帯情報端末１０の一構成例を示したブロック図である。この携帯情報端末１０は、セルラー通信部１１、報知制御部１２、震度情報記憶部１３、生体情報取得部１４、近距離通信部１５、生体情報記憶部１６、睡眠状態判別部１７、音量レベル指定部１８及び報知要求生成部１９により構成される。
【００４４】
セルラー通信部１１は、無線ＡＰ３（基地局）との間で無線通信を行い、サーバー装置４０から震度情報を受信する。報知制御部１２は、受信した震度情報を震度情報記憶部１３内に格納するとともに、生体情報取得部１４に生体情報の取得を指示する。近距離通信部１５は、微弱電波を用いて、生体情報計測装置２０及び報知装置３０との間で無線通信を行う。
【００４５】
生体情報取得部１４は、震度情報の受信後に、生体情報を取得するための送信要求を生成し、近距離通信部１５を介して、生体情報計測装置２０へ送信する一方、生体情報計測装置２０から受信した生体情報を生体情報記憶部１６内に格納する。
【００４６】
睡眠状態判別部１７は、生体情報記憶部１６内の生体情報に基づいて、報知対象者が睡眠状態であるか否かを判別し、その判別結果を音量レベル指定部１８へ出力する。睡眠状態の判別は、震度情報を受信した時点を含む一定期間内に計測された生体情報に基づいて、行われる。睡眠状態判別部１７では、報知対象者が、覚醒状態と、深度の異なる２以上の睡眠状態とを含む３以上の睡眠レベルのいずれに該当するのかが判別される。
【００４７】
一般に、脈拍は、眠りの深さ（睡眠深度）が深いほど少なく、眠りが浅ければ脈拍は多くなる。また、睡眠状態における脈拍は、覚醒状態に比べて、２０％〜３０％程度低下する。そこで、報知対象者の脈拍を生体情報として計測することにより、報知対象者が３以上の睡眠レベルのいずれに該当するのかを正確に判別することができる。
【００４８】
例えば、１つの覚醒段階と、５つの睡眠段階（sleep stage）とからなる６つの睡眠レベルのいずれに該当するのかが判別される。上記睡眠段階は、１つのレム（REM）睡眠段階と、４つのノンレム（NREM）睡眠段階ステージ１〜ステージ４により構成される。
【００４９】
覚醒段階、レム睡眠段階、ノンレム睡眠段階ステージ１〜ステージ４の順で、睡眠深度が大きい。特に、ノンレム睡眠段階ステージ３及びステージ４を熟睡段階と呼ぶ場合がある。
【００５０】
具体的には、覚醒状態における脈拍値が予め保持され、この脈拍値を基準にして、睡眠レベルが判別される。例えば、覚醒状態の脈拍値を１００とすれば、脈拍値１００以上が覚醒段階であり、脈拍値９６以上１００未満がレム睡眠段階である。また、脈拍値９２以上９６未満がノンレム睡眠段階ステージ１であり、脈拍値８８以上９２未満がノンレム睡眠段階ステージ２である。また、脈拍値８４以上８８未満がノンレム睡眠段階ステージ３であり、脈拍値８４未満がノンレム睡眠段階ステージ４である。
【００５１】
脈拍を含めて、体動、皮膚温度、皮膚電位などの複数項目の生体情報が得られていれば、これらの複数項目の生体情報を用いて、報知対象者の睡眠レベルを判別しても良い。例えば、脈拍から推定される睡眠レベルと、体動から推定される睡眠レベルとの加重平均により、報知対象者の睡眠レベルを算出するような構成が考えられる。
【００５２】
音量レベル指定部１８は、睡眠状態判別部１７による睡眠状態の判別結果と、震度情報記憶部１３内の震度情報とに基づいて、警報音の音量レベルを指定する。すなわち、報知対象者が睡眠状態である場合には、覚醒状態である場合よりも警報音の音量レベルを増大させる。また、音量レベル指定部１８は、睡眠状態の深度が増大するほど、警報音の音量レベルを増大させ、また、震度階級が増大するほど、警報音の音量レベルを増大させる。
【００５３】
報知要求生成部１９は、警報音の音量レベルを指定した報知要求を生成し、近距離通信部１５へ出力する。近距離通信部１５は、この報知要求を報知装置３０へ送信する。報知装置３０では、携帯情報端末１０からの報知要求に基づいて警報音を出力する際に、睡眠状態の深度が増大するほど、警報音の音量レベルを増大させるとともに、震度階級が増大するほど、警報音の音量レベルを増大させる。
【００５４】
図５は、携帯情報端末１０、生体情報計測装置２０及び報知装置３０の使用態様の一例を模式的に示した説明図であり、報知対象者４の自宅５内の様子が示されている。この自宅５は、１階に台所Ｋ及びリビングルームＬＲがあり、２階に寝室ＢＲ及び子供部屋ＣＲがある。
【００５５】
台所Ｋ、リビングルームＬＲ、寝室ＢＲ及び子供部屋ＣＲには、それぞれ照明装置３０ａが設置され、また、リビングルームＬＲには、ＴＶ受像装置３０ｂ及びオーディオ装置３０ｃが設置されている。照明装置３０ａ、ＴＶ受像装置３０ｂ及びオーディオ装置３０ｃは、報知装置３０として機能する。
【００５６】
生体情報計測装置２０は、報知対象者４と共に寝室ＢＲ内にあり、携帯情報端末１０は、リビングルームＬＲ内にある。自宅５の内部空間が近距離無線の通信エリアであり、携帯情報端末１０は、自宅５内のいずれの居室にあるのかにかかわらず、生体情報計測装置２０、照明装置３０ａ、ＴＶ受像装置３０ｂ及びオーディオ装置３０ｃと通信することができる。
【００５７】
つまり、警報音の音量レベルを指定した報知要求が照明装置３０ａ、ＴＶ受像装置３０ｂ及びオーディオ装置３０ｃへ送信されるので、報知対象者４が自宅５内のどこにいても、報知対象者４が覚醒状態であるのか、或いは、睡眠状態であるのかに応じた適切な音量レベルで警報音を出力することができる。
【００５８】
図６は、図１の地震報知システム１００における地震発生時の動作の一例を示したシーケンス図である。まず、携帯情報端末１０は、サーバー装置４０から緊急地震速報が通知されれば、生体情報計測装置２０に対し、生体情報の送信要求を送信する。生体情報計測装置２０は、一定時間Ｔ１ごとに報知対象者４の生体情報を計測し、携帯情報端末１０から送信要求があれば、当該送信要求に基づいて、生体情報を要求元の携帯情報端末１０へ送信する。
【００５９】
次に、携帯情報端末１０は、生体情報計測装置２０から取得した生体情報に基づいて、報知対象者４の睡眠状態を判別し（ステップＳ１０１）、その判別結果と震度階級とに基づいて、警報音の音量レベルを指定する（ステップＳ１０２）。携帯情報端末１０は、報知装置３０に対し、警報音の音量レベルを指定した報知要求を送信する。
【００６０】
報知装置３０は、携帯情報端末１０から報知要求があれば、当該報知要求に基づいて、警報音を出力する（ステップＳ１０３）。その際、報知対象者４が睡眠状態である場合には、覚醒状態である場合よりも警報音の音量レベルを増大させる。このため、報知対象者４が睡眠状態であるか否かに応じた適切な音量レベルで警報音を出力することができる。また、震度階級が増大するほど警報音の音量レベルを増大させる。このため、地震発生時に、報知対象者４が睡眠状態であるか否かと揺れの大きさとに応じた適切な音量レベルで警報音を出力することができる。
【００６１】
＜音量レベル判定用のテーブル＞
図７は、図１の携帯情報端末１０において使用される音量レベル判定用のテーブルの一例を示した図である。この図では、音量レベルが、無音レベルに相当するレベル０から、上限レベルに相当するレベル６までの７段階に区分されている。このテーブルは、６つの睡眠レベルと７つの震度階級との各組合せに対し、警報音の音量レベルを割り当てた割当テーブルである。
【００６２】
具体的には、震度３以上の各震度階級について、睡眠深度が大きいほど、音量レベルが増大し、また、各睡眠段階について、震度階級が大きいほど、音量レベルが増大するように、音量レベルが割り当てられている。
【００６３】
例えば、震度１又は２では、報知の必要がないものとみなされ、これらの震度階級には、睡眠レベルに関わらず、レベル０が割り当てられている。また、覚醒段階でも、報知の必要がないものとみなされ、覚醒段階には、震度階級に関わらず、レベル０が割り当てられている。つまり、震度階級が震度２以下であるか、或いは、睡眠レベルが覚醒段階であれば、レベル０が割り当てられる。
【００６４】
一方、震度３では、レム睡眠段階からノンレム睡眠段階のステージ２までの各睡眠段階に対し、レベル１が割り当てられ、ノンレム睡眠段階のステージ３及び４に対し、レベル２が割り当てられている。また、震度４では、レム睡眠段階からノンレム睡眠段階のステージ２までの各睡眠段階に対し、レベル２が割り当てられ、ノンレム睡眠段階のステージ３及び４に対し、レベル３が割り当てられている。
【００６５】
震度５では、レム睡眠段階からノンレム睡眠段階のステージ２までの各睡眠段階に対し、レベル３が割り当てられ、ノンレム睡眠段階のステージ３及び４に対し、レベル４が割り当てられている。震度６では、レム睡眠段階からノンレム睡眠段階のステージ２までの各睡眠段階に対し、レベル４が割り当てられ、ノンレム睡眠段階のステージ３及び４に対し、レベル５が割り当てられている。
【００６６】
震度７以上の震度階級では、レム睡眠段階からノンレム睡眠段階のステージ２までの各睡眠段階に対し、レベル５が割り当てられ、ノンレム睡眠段階のステージ３及び４に対し、レベル６が割り当てられている。音量レベル指定部１８は、この様なテーブルを用いて、地震の震度階級及び報知対象者４の睡眠レベルに対応する音量レベルを指定する。
【００６７】
図８のステップＳ２０１〜Ｓ２０９は、図１の携帯情報端末１０における震度情報受信時の動作の一例を示したフローチャートである。まず、生体情報取得部１４は、生体情報の送信要求を生成し、近距離通信部１５を介して生体情報計測装置２０へ送信する（ステップＳ２０１）。
【００６８】
次に、生体情報取得部１４は、生体情報計測装置２０から生体情報が受信すれば、生体情報記憶部１６内に格納する（ステップＳ２０２）。一方、生体情報取得部１４は、送信要求を送信してから一定時間Ｔ２が経過するまでに生体情報が受信されない場合、警報音の音量レベルを指定した報知要求を生成し、近距離通信部１５を介して報知装置３０へ送信する（ステップＳ２０８，Ｓ２０９）。この場合、報知対象者４が生体情報計測装置２０を装着していないことが考えられることから、警報音の音量レベルを上限レベル、すなわち、レベル６に指定した報知要求が生成される。これにより、生体情報計測装置２０を装着していない報知対象者４にも地震が発生したことを知らせることができる。
【００６９】
次に、睡眠状態判別部１７は、生体情報記憶部１６内に格納された生体情報に基づいて、報知対象者４の睡眠状態を判別する（ステップＳ２０３）。音量レベル指定部１８は、睡眠状態の判別結果と震度情報とに基づいて、警報音の音量レベルを指定する（ステップＳ２０４）。
【００７０】
報知要求生成部１９は、音量レベル指定部１８により指定された音量レベルがレベル１以上である場合に、警報音の音量レベルを指定した報知要求を生成し、近距離通信部１５を介して報知装置３０へ送信する（ステップＳ２０５，Ｓ２０６）。
【００７１】
報知要求を送信してから一定時間Ｔ３が経過すれば、ステップＳ２０１以降の処理手順が繰り返される（ステップＳ２０７）。つまり、報知対象者４が睡眠状態から覚醒したことを検知して、警報音の出力を自動的に停止させることができる。一方、報知要求生成部１９は、音量レベルがレベル０であれば、報知要求を送信せずにこの処理を終了する。
【００７２】
本実施の形態によれば、生体情報に基づいて報知対象者４の睡眠状態を判別し、その判別結果に基づいて警報音の音量レベルが制御される。その際、報知対象者４が睡眠状態である場合には、覚醒状態である場合よりも警報音の音量レベルを増大させる。このため、報知対象者４が睡眠状態であるか否かに応じた適切な音量レベルで警報音を出力することができる。特に、報知対象者４が３以上の睡眠レベルのいずれに該当するのかを判別して警報音の音量レベルを制御するので、報知対象者４の眠りの深さに応じた適切な音量レベルで警報音を出力することができる。
【００７３】
また、震度情報の受信後に警報音を出力させる際に、震度階級が増大するほど警報音の音量レベルを増大させる。このため、地震発生時に、報知対象者４が睡眠状態であるか否かと揺れの大きさとに応じた適切な音量レベルで警報音を出力することができる。
【符号の説明】
【００７４】
１００  地震報知システム
１  発報装置
１０  携帯情報端末
１１  セルラー通信部
１２  報知制御部
１３  震度情報記憶部
１４  生体情報取得部
１５  近距離通信部
１６  生体情報記憶部
１７  睡眠状態判別部
１８  音量レベル指定部
１９  報知要求生成部
２０  生体情報計測装置
３０  報知装置
４０  サーバー装置
４１  震度情報記憶部
２  通信ネットワーク
３  無線ＡＰ
４  報知対象者
５  自宅
【図１】
2014006595.tif 000003
【図２】
2014006595.tif 000004
【図３】
2014006595.tif 000005
【図４】
2014006595.tif 000006
【図５】
2014006595.tif 000007
【図６】
2014006595.tif 000008
【図７】
2014006595.tif 000009
【図８】
2014006595.tif 000010